(57)【要約】      （修正有）【課題】顔や首などの面積の比較的小さな部位についても、電極や超音波振動面をより確実に皮膚に接触させることのできる美容器を提供する。【解決手段】美容器１は、グリップ部２とヘッド部３とを備えている。ヘッド部３は、皮膚と接触する接触面Ａを備えている。接触面Ａには、接触面Ａの中央を含む領域Ｂに設けられるとともに、互いに間隔をあけて配置された４つの電極６ａ〜６ｄと、領域Ｂに設けられるとともに互いに離間して配置された複数のＬＥＤ７と、領域Ｂの全ての外周を囲むように配置された超音波振動面８とが設けられている。４つの電極６ａ〜６ｄは、皮膚に電気的刺激を与えるために用いられ、超音波振動面８は超音波振動を皮膚に与えるために使用される。【選択図】図１
0003192971.tif 000002
【実用新案登録請求の範囲】
【請求項１】
生体との接触面を有する美容器であって、
前記接触面の中央を含む領域に、互いに間隔をあけて設けられた２つ以上の電極と、
前記領域の外周を囲むように前記接触面に設けられた超音波振動面と
を具備する美容器。
【請求項２】
前記超音波振動面は、前記領域の全ての外周を囲むように設けられている請求項１に記載の美容器。
【請求項３】
前記電極の接触側先端は、前記超音波振動面よりも突出している請求項１または請求項２に記載の美容器。
【請求項４】
前記電極間の距離は、２ｍｍ以上６ｍｍ以下とされている請求項１から請求項３のいずれかに記載の美容器。
【請求項５】
２つ以上の前記電極を２つのグループに分け、一方のグループに属する電極と他方のグループに属する電極との間に所定の周波数の交流電圧を印加する発振回路を備える請求項１から請求項４のいずれかに記載の美容器。
【請求項６】
前記発振回路は、１Ｈｚ以上７００ｋＨｚ以下の周波数のパルス電圧を印加する請求項５に記載の美容器。
【請求項７】
グリップ部に設けられたグリップ電極と、
２つ以上の前記電極と前記グリップ電極との間に所定の周波数の交流電圧を印加する発振回路を備える請求項１から請求項４のいずれかに記載の美容器。
【請求項８】
前記超音波振動面を振動させるための超音波振動子と、
前記超音波振動子に電気信号を与える超音波発振回路と、
ユーザーが操作する操作部と、
前記操作部からの信号に基づいて、前記発振回路及び前記超音波発振回路を制御する制御部と
を備える請求項５から請求項７のいずれかに記載の美容器。
【考案の詳細な説明】
【技術分野】
【０００１】
本考案は、美容器に関するものである。
【背景技術】
【０００２】
従来、超音波による振動刺激と、電流を皮膚に流すことによる電気的刺激を併用して美肌トリートメントを行う美容器が提案されている（例えば、特許文献１参照）。特許文献１には、プローブの平坦な皮膚接触面に、導電性の超音波振動体と皮膚電極とを並べて配置し、超音波振動体と皮膚電極の間に直流電流またはパルス電流を流すことにより、振動刺激と電気的刺激とを同時に皮膚に与えることが開示されている。
【先行技術文献】
【特許文献】
【０００３】
【特許文献１】特開２０００−１６７００９号公報
【考案の概要】
【考案が解決しようとする課題】
【０００４】
特許文献１に開示されている超音波美容器では、腹部、太腿、ふくらはぎ等の面積の比較的広い部位であれば超音波振動体と皮膚電極との両方を皮膚に容易に密着させることが可能である。しかしながら、顔や首等の面積の比較的小さな部位あるいは凹凸のある部位については、超音波振動体と皮膚電極との両方を同時に皮膚に密着させることが難しいという問題があった。
【０００５】
本考案は、このような事情に鑑みてなされたものであって、顔や首などの面積の比較的小さな部位についても、電極や超音波振動面をより確実に皮膚に接触させることのできる美容器を提供することを目的とする。
【課題を解決するための手段】
【０００６】
本考案は、生体との接触面を有する美容器であって、前記接触面の中央を含む領域に、互いに間隔をあけて設けられた２つ以上の電極と、前記領域の外周を囲むように前記接触面に設けられた超音波振動面とを具備する美容器を提供する。
【０００７】
本考案によれば、接触面の中央部を含む領域に、皮膚に電流を流すために使用される電極を配置し、当該領域の外周を囲むように接触面に超音波振動面を設けている。これにより、心地よい電気的刺激を与えるための電極配置を可能とすることができるとともに、超音波振動面の面積を比較的大きくとることが可能となる。また、顔や首などの比較的面積が小さく、凹凸のあるような部位であっても、接触面の傾きを工夫することにより、電極及び超音波振動面の両方を当該部位に接触させることができ、超音波振動及び電気的刺激の効果を皮膚に与えることが可能となる。
上記電極は、例えば、ＥＭＳ（Ｅｌｅｃｔｒｉｃａｌ  Ｍｕｓｃｌｅ  Ｓｔｉｍｕｌａｔｉｏｎ：電気的筋肉刺激）、イオン導入、ＲＦ（ラジオ波）等に用いられるための電極である。
【０００８】
上記美容器において、前記超音波振動面は、前記領域の全ての外周を囲むように設けられていることが好ましい。このように、超音波振動面が領域の周囲において切れ目なく連続して設けられていることにより、超音波振動面としてより広い面積を確保することが可能となる。また、切れ目がないことにより、皮膚と接触する確率を高めることが可能となる。
【０００９】
上記美容器において、前記電極の接触側先端は、前記超音波振動面よりも突出していることが好ましい。電極の接触側先端を超音波振動面よりも突出させることにより、電極をより確実に皮膚に接触させることが可能となる。
【００１０】
上記美容器において、例えば、前記電極間の距離は、２ｍｍ以上６ｍｍ以下とされている。このような電極間の距離とすることにより、心地よい電気的刺激を与えることが可能となる。上記距離は、一の電極と他の電極とを結ぶ最短距離をいう。
【００１１】
上記美容器は、２つ以上の前記電極を２つのグループに分け、一方のグループに属する電極と他方のグループに属する電極との間に所定の周波数の交流電圧を印加する発振回路を備えることとしてもよい。
これにより、２つ以上の電極を皮膚に接触させることにより、皮膚を介して、一方のグループに属する電極と他のグループに属する電極との間に交流電流（例えば、パルス電流）を流すことが可能となる。この結果、印加される交流電圧（例えば、パルス電圧）の周波数に応じた深さの皮膚内部に刺激が与えられ、皮膚を引き締める効果等を得ることができる。
【００１２】
例えば、前記発振回路は、１Ｈｚ以上７００ｋＨｚ以下の周波数のパルス電圧を印加することとしてもよい。
【００１３】
上記美容器は、グリップ部に設けられたグリップ電極と、２つ以上の前記電極と前記グリップ電極との間に所定の周波数の交流電圧を印加する発振回路を備えることとしてもよい。
これにより、ユーザーがグリップ部に設けられたグリップ電極を握るとともに、接触面に設けられた電極を皮膚に接触させることにより、皮膚に電流を流すことが可能となる。この結果、例えば、電極に接触する部位に化粧品等を塗布していた場合にはイオン導入などの効果を得ることができる。
【００１４】
上記美容器は、前記超音波振動面を振動させるための超音波振動子と、前記超音波振動子に電気信号を与える超音波発振回路と、ユーザーが操作する操作部と、前記操作部からの信号に基づいて、前記発振回路及び前記超音波発振回路を制御する制御部とを備えることとしてもよい。
【００１５】
上記構成によれば、ユーザーにより操作部が操作された場合に、その操作の内容に関する信号が制御部に出力され、その信号に基づいて制御部により発振回路や超音波発振回路が制御される。超音波発振回路が駆動した場合には、超音波振動子に電気信号が与えられることにより、超音波振動子が振動し、結果、超音波振動面から皮膚に対して振動が伝達される。
【考案の効果】
【００１６】
本考案によれば、顔や首などの面積の比較的小さな部位についても、電極や超音波振動面をより確実に皮膚に接触させることができるという効果を奏する。
【図面の簡単な説明】
【００１７】
【図１】本考案の一実施形態に係る美容器の正面図である。
【図２】本考案の一実施形態に係る美容器の左側面図である。
【図３】図１に示した美容器の接触面を拡大して示した図である。
【図４】本考案の一実施形態に係る美容器の概略構成を示した図である。
【考案を実施するための形態】
【００１８】
以下に、本考案の美容器が超音波振動機能とＥＭＳ機能とを兼ね備える場合の一実施形態について、図面を参照して説明する。
図１は本実施形態に係る美容器の正面図、図２は本実施形態に係る美容器の左側面図、図３は図１に示した美容器の接触面を拡大して示した図である。
図１、２に示すように、本実施形態に係る美容器１は、グリップ部２とヘッド部３とを備えている。
図１〜３に示すように、ヘッド部３は、皮膚（生体）と接触する接触面Ａを備えている。接触面Ａには、接触面Ａの中央を含む領域Ｂに設けられるとともに、互いに間隔をあけて配置された４つの電極６ａ〜６ｄと、領域Ｂの全ての外周を囲むように配置された超音波振動面８とが設けられている。また、領域Ｂの裏側（ヘッド部内部）には複数のＬＥＤ７が設けられ、ＬＥＤ７が点灯した場合にその光が接触面Ａから外部に漏れ、トリートメント部位を照射する構成とされている。
４つの電極６ａ〜６ｄは２つのグループに分けられており、後述するＥＭＳ用発振回路１４（図４参照）により、一方のグループに属する電極（本実施形態では、６ａ、６ｂ）と他方のグループに属する電極（本実施形態では、６ｃ、６ｄ）との間に所定の周波数のパルス電圧が印加される構成とされている。
【００１９】
図３に示すように、電極６ａ〜６ｄにおいて、互いに最も近い異極の電極間距離Ｄ１、例えば、電極６ａと電極６ｃとの間の距離、電極６ｂと電極６ｄとの間の距離は、皮膚に与えたい電気的刺激の強さ、効果等に応じて適切な距離とされている。例えば、一例として、２ｍｍ以上６ｍｍ以下が挙げられる。また、例えば、互いに最も遠い異極の電極間距離、例えば、電極６ａと電極６ｄとの間の距離、電極６ｃと６ｄとの間の距離は、一例として、６ｍｍ以上１２ｍｍ以下とされている。
このような電極間の距離とすることで、電極６ａ〜６ｄを皮膚に接触させたときに皮膚に適度な電流を流すことができ、心地よい刺激を与えることが可能となる。
【００２０】
超音波振動面８の幅Ｄ２についても適宜適切な距離を設定すればよいが、あまり広くすると全領域を皮膚に接触させることが難しくなり、また、あまりに狭すぎると超音波振動による美肌効果が低下することから、美肌効果と皮膚接触の両面から適切な距離範囲とされることが好ましい。例えば、一例として、６ｍｍ以上１５ｍｍ以下の範囲が挙げられる。
【００２１】
また、ヘッド部３において、電極６ａ〜６ｄの接触側先端は、超音波振動面８よりも突出している（図２参照）。これにより、凹凸のある部位であっても、より確実に電極６ａ〜６ｄを当該部位に押し当てることが可能となる。
【００２２】
グリップ部２には、ユーザーが操作するための操作部１０が設けられている。操作部１０には、例えば、電源ボタン１０ａ、「ＳＯＮＩＣ」ボタン１０ｂ、「ＥＭＳ１＋ＨＥＡＴ」ボタン１０ｃ、「ＥＭＳ２＋ＨＥＡＴ」ボタン１０ｄ、及び「ＬＥＤ」ボタン１０ｅが設けられている。各ボタン１０ａ〜１０ｅの内側にはＬＥＤ１７ａ〜１７ｅ（図４参照）が設けられており、ユーザーによって選択されたボタンに対応するＬＥＤが点灯することにより、どのボタンが選択されているのかが視認可能とされている。
【００２３】
図４は、本実施形態に係る美容器１の概略構成を示した図である。図４に示すように、美容器１は、上述した構成の他、制御部１１、超音波発振回路１２、超音波振動子１３、ＥＭＳ用発振回路１４、ＬＥＤ電源回路１５を主な構成として備えている。
【００２４】
制御部１１は、操作部１０から入力される入力信号に応じて、超音波発振回路１２、ＥＭＳ用発振回路１４、ＬＥＤ電源回路１５を制御する。
超音波発振回路１２は、制御部１１及び超音波振動子１３と電気的に接続され、制御部１１からの制御信号に基づいて、所定の周波数の電気信号（交流電圧、例えば、正弦波の交流電圧）を超音波振動子１３に与える。ここで与えられる交流電圧の電圧値および周波数については予め決められている。超音波振動子１３は、超音波振動面８の裏側（皮膚接触側の反対側）に取り付けられ、超音波発振回路１２から供給される電気信号に応じて振動する。
【００２５】
ＥＭＳ用発振回路１４は、制御部１１及び各電極６ａ〜６ｄと電気的に接続され、制御部１１からの制御信号に基づいて、所定周波数の所定電圧値の電気信号（例えば、パルス波形の交流電圧）を電極６ａ〜６ｄに供給する。これにより、例えば、電極６ａ、６ｂがプラス、６ｃ、６ｄがマイナスになる場合と、電極６ａ、６ｂがマイナス、６ｃ、６ｄがプラスになる場合とが所定周期で繰り返される。この結果、電極６ａ〜６ｄを皮膚に接触させた場合には、皮膚に所定の周波数のパルス電流を流すことができる。これにより、筋肉を収縮させ、皮膚の活性化等の効果を得ることができる。なお、この場合において、マイナス側の電位を、ゼロ電位としてもよい。
【００２６】
また、図１に示されるように、本実施形態では、ＥＭＳについて「ＥＭＳ１」と「ＥＭＳ２」とからなる２つのＥＭＳモードを有している。「ＥＭＳ１」は、「ＥＭＳ２」に比べてパルス電圧の振幅（電圧値）が低いモードとなっている。すなわち、ＥＭＳ用発振回路１４は、ユーザーによって選択されたＥＭＳモードに応じて、電極６ａ〜６ｄに出力するパルス電圧の振幅を変更する。
また、ＥＭＳ用発振回路１４から出力されるパルス電圧の周波数は、低周波パルス（１Ｈｚ以上１ｋＨｚ以下）、中周波パルス（１ｋＨｚ以上１０ｋＨｚ未満）、及び高周波パルス（１０ｋＨｚ以上）のいずれかの周波数パルスの範囲で適宜設定される。周波数が高いほど、皮膚の深い部分まで浸透する一方で、筋肉を収縮させる力が弱くなる。したがって、皮膚への浸透度合いと、収縮レベルとを勘案して、適切な範囲の周波数を選択すればよい。
【００２７】
ＬＥＤ電源回路１５は、制御部１１及び各ＬＥＤ７、１７ａ〜１７ｅと電気的に接続され、制御部１１からの制御信号に応じたＬＥＤ７、１７ａ〜１７ｅに対して所定の直流電圧を供給することで、ＬＥＤを点灯させる。
上記超音波発振回路１２、ＥＭＳ用発振回路１４、ＬＥＤ電源回路１５の電源は、例えば、美容器１内に搭載された電池とされる。なお、電源の取り方については特に限定されない。例えば、電源コードを用いて商用電源から電源供給するような構成としてもよい。
【００２８】
次に、本実施形態に係る美容器１の使用時における動作について説明する。以下、ユーザーにより、（１）超音波振動機能のみが選択された場合、（２）ＥＭＳ機能のみが選択された場合、（３）超音波振動機能とＥＭＳ機能との両方が選択された場合について、順番に説明する。
【００２９】
（１）超音波振動機能のみが選択された場合
ユーザーにより操作部１０の電源ボタン１０ａが押され、「ＳＯＮＩＣ」ボタン１０ｂが押されることにより、超音波振動機能が選択されると、その旨の信号が操作部１０から制御部１１に出力される。この信号を受け、制御部１１は、超音波発振回路１２を駆動させるとともに、ＬＥＤ電源回路１５に対してＬＥＤ７とＬＥＤ１７ａ、１７ｂを点灯させる旨の制御信号を出力する。これにより、超音波発振回路１２から所定周波数の交流電圧が超音波振動子１３に与えられて超音波振動面８が振動するとともに、ＬＥＤ７、１７ａ、１７ｂが点灯する。
【００３０】
この状態で、ユーザーにより、ジェルなどが塗布されたトリートメント部位に接触面Ａが軽く押し当てられることで、超音波振動面８による振動が皮膚に伝達される。また、接触面Ａをトリートメント部位に押し当てる際に、ＬＥＤ７の光がトリートメント部位に照射されることにより、その部位をトリートメントするのだということが脳に伝達される。これにより、超音波振動による皮膚の振動をユーザーが感じなかったとしても、ＬＥＤ７の光照射により、トリートメントしていることおよびその部位をユーザーに自覚させることが可能となる。
【００３１】
（２）ＥＭＳ機能のみが選択された場合
ユーザーにより操作部１０の電源ボタン１０ａが押され、「ＥＭＳ１＋ＨＥＡＴ」ボタン１０ｃが押されることにより、ＥＭＳ機能のモード１が選択されると、その旨の信号が操作部１０から制御部１１に出力される。この信号を受け、制御部１１は、ＥＭＳ用発振回路１４に対してモード１が選択された旨の信号を出力するとともに、ＬＥＤ電源回路１５に対してＬＥＤ７とＬＥＤ１７ａ，１７ｃを点灯させる旨の制御信号を出力する。これにより、ＥＭＳ用発振回路１４からモード１に対応する周波数及び電圧値のパルス電圧が電極６ａ〜６ｄ間に印加されるとともに、ＬＥＤ７、１７ａ、１７ｃが点灯する。
【００３２】
この状態で、ユーザーにより、ジェルなどが塗布されたトリートメント部位に接触面Ａが軽く押し当てられることで、皮膚を介して電極間にパルス電流が流れ、皮膚の収縮が生じ、美肌効果が得られることとなる。また、ＥＭＳでは、皮膚の収縮に加えて、熱が発生するため、皮膚のトリートメント部位の温熱効果も得られることとなる。これが、操作部１０のＥＭＳに関するボタン１０ｃ、１０ｄに「＋ＨＥＡＴ」と標記されている所以である。
【００３３】
また、ユーザーにより操作部１０の「ＥＭＳ２＋ＨＥＡＴ」ボタン１０ｄが選択された場合には、制御部１１からＥＭＳ用発振回路１４に対してモード２が選択された旨の信号が出力されるとともに、ＬＥＤ電源回路１５に対してＬＥＤ７とＬＥＤ１７ａ、１７ｄを点灯させる旨の制御信号が出力される。これにより、ＥＭＳ用発振回路１４からモード２に対応する周波数及び電圧値のパルス電圧が電極６ａ〜６ｄ間に印加されるとともに、ＬＥＤ７、１７ａ、１７ｄが点灯する。
なお、モード２における電圧値の方がモード１における電圧値よりも大きいため、皮膚に与える電気的刺激はモード２の方が大きいものとなる。
【００３４】
（３）超音波振動機能とＥＭＳ機能との両方が選択された場合
ユーザーにより操作部１０の電源ボタン１０ａが押され、「ＳＯＮＩＣ」ボタン１０ｂ及び「ＥＭＳ１＋ＨＥＡＴ」ボタン１０ｃが押されることにより、超音波振動機能及びＥＭＳ機能の第１モードが選択されると、その旨の信号が操作部１０から制御部１１に出力される。この信号を受け、制御部１１は、超音波発振回路１２を駆動させるための制御信号を出力するとともに、ＥＭＳ用発振回路１４にモード１の制御信号を出力する。また、ＬＥＤ電源回路１５に対して、ＬＥＤ７、ＬＥＤ１７ａ、１７ｂ，１７ｃを点灯させる旨の制御信号を出力する。
【００３５】
これにより、超音波発振回路１２から所定周波数の交流電圧が超音波振動子１３に与えられて超音波振動面８が振動するとともに、ＥＭＳ用発振回路１４からモード１に対応する周波数及び電圧値のパルス電圧が電極６ａ〜６ｄ間に印加される。また、ＬＥＤ電源回路１５からＬＥＤ７、１７ａ〜１７ｃに電圧が供給されることにより、これらＬＥＤ７、１７ａ〜１７ｃが点灯する。
【００３６】
この状態で、ユーザーにより、ジェルなどが塗布されたトリートメント部位に接触面Ａが軽く押し当てられることで、超音波振動面８による振動が皮膚に伝達されるとともに、皮膚を介して電極間にパルス電流が流れることで、皮膚の収縮が生じる。また、皮膚のトリートメント部位の温熱効果も得られることとなる。
なお、ＭＥＳ機能のモード２が選択された場合にも、上述と同様の動作が行われることにより、モード１よりも高い電気的刺激が皮膚に与えられることとなる。
【００３７】
以上説明したように、本実施形態に係る美容器１によれば、接触面Ａの中央部を含む領域Ｂに、皮膚に電流を流すために使用される電極６ａ〜６ｄを配置し、当該領域Ｂの外周を囲むように接触面Ａに超音波振動面８を設けている。これにより、心地よい電気的刺激を与えるための電極配置を可能とすることができるとともに、超音波振動面８の面積を比較的大きくとることが可能となる。また、このような配置とすることにより、顔や首などの比較的面積が小さく、凹凸のあるような部位であっても、接触面Ａの傾きを工夫することにより、電極６ａ〜６ｄ及び超音波振動面８の両方を当該部位に接触させることができ、超音波振動及び電気的刺激の効果を皮膚に与えることが可能となる。
【００３８】
また、超音波振動面８は、領域Ｂの周囲において切れ目なく、全ての外周を囲むように設けられているので、超音波振動による効果をより高めることが可能となるとともに、皮膚と接触する確率を高めることが可能となる。
更に、電極６ａ〜６ｄの接触側先端は、超音波振動面８よりも突出しているので、電極６ａ〜６ｄをより確実に皮膚に接触させることが可能となる。
また、本実施形態に係る美容器１は、比較的小型であるため携帯に便利であり、また、操作性にも優れている。
【００３９】
なお、本考案は、上述の実施形態のみに限定されるものではなく、考案の要旨を逸脱しない範囲において、種々変形実施が可能である。
例えば、４つの電極６ａ〜６ｄが設けられていたが、電極の設置数は限定されず、また、奇数であってもよい。また、電極を６ａ、６ｂのグループと、６ｃ、６ｄのグループとに分けたが、各グループに属する電極の数は必ずしも同等である必要はない。
また、領域Ｂは円形とされ、超音波振動面８は円環状とされていたが、これらの形状についてはこれに限定されず、それぞれ卵型、楕円、その他の形状であってもよい。
超音波振動面８の面積を可能な限り広くとるために、超音波振動面８は、切れ目のないように領域Ｂの全ての外周を囲むように設けられることが好ましいが、一部あるいは複数の箇所において切れ目が形成され、複数部分に分割されて設けられていてもよい。
また、ＬＥＤ電源回路１５を省略し、制御部１１から各ＬＥＤに対して直接的に駆動信号を出力するような構成としてもよい。
【００４０】
グリップ部２は、図１、２に示した棒状の形状に限定されることなく、接触面Ａを皮膚に接触させることが可能な形状になっていればよい。
また、本実施形態では、超音波振動機能とＥＭＳ機能とを併せ持つ場合について説明したが、例えば、電極６ａ〜６ｄをイオン導入またはＲＦ（ラジオ波）等の用途として用いることとしてもよい。この場合、その用途に応じて、電極６ａ〜６ｄに印加するパルス電圧（交流電圧）の周波数及び電圧値を適宜適切な値に設定すればよい。
また、電極６ａ〜６ｄに与える電圧を直流電圧にすることとしてもよい。このように直流電圧を印加することで、他の美肌効果を得ることが可能となる。
更に、本実施形態では、電極６ａ〜６ｄの間に電流を流していたが、例えば、グリップ部２にグリップ電極を設け、グリップ電極と電極６ａ〜６ｄとの間に所定周波数及び所定電圧値のパルス電圧を印加することとしてもよい。この場合、電極６ａ〜６ｄの全てがプラスの場合にグリップ電極がマイナスとされ、電極６ａ〜６ｄの全てがマイナスの場合にグリップ電極がプラスとされる。グリップ電極を設ける場合には、ユーザーは使用時において、グリップ電極を握った状態で、接触面Ａを美容液や化粧水が塗布されたトリートメント部位に軽く押し当てる。これにより、電極６ａ〜６ｄが触れた皮膚から身体を経由するグリップ電極までの電流回路が形成され、美容液や化粧水を皮膚に浸透させることが可能となる。
【符号の説明】
【００４１】
１  美容器
２  グリップ部
３  ヘッド部
６ａ〜６ｄ  電極
７  ＬＥＤ
８  超音波振動面
１０  操作部
１１  制御部
１２  超音波発振回路
１３  超音波振動子
１４  ＥＭＳ用発振回路
１５  ＬＥＤ電源回路
１７ａ〜１７ｅ  ＬＥＤ
Ａ  接触面
Ｂ  領域
【図１】
0003192971.tif 000003
【図２】
0003192971.tif 000004
【図３】
0003192971.tif 000005
【図４】
0003192971.tif 000006